(57)【特許請求の範囲】
【請求項１】
天井と床面間に所定間隔を隔てて立設した支柱にパネルを取付け、地震時の層間変位に追従して前記支柱が傾斜してロッキング状態になっても前記パネルを安定に保持し得る高耐震性パネルにおいて、前記支柱間に複数の横桟を上下方向へ所定間隔を隔ててヒンジ連結構造にて横設し、該ヒンジ連結構造は前記支柱と横桟の連結角度の変更を許容する構造とし、前記パネルは上下横桟間隔に対応する複数の分割パネルからなり、前記分割パネルの上下縁部をそれぞれ横桟で横方向へスライド変位可能に支持したことを特徴とする段積み型高耐震性パネル。
【請求項２】
天井と床面間に所定間隔を隔てて立設した支柱にパネルを取付け、地震時の層間変位に追従して前記支柱が傾斜してロッキング状態になっても前記パネルを安定に保持し得る高耐震性パネルにおいて、前記支柱間に複数の横桟を上下方向へ所定間隔を隔ててヒンジ連結構造にて横設し、該ヒンジ連結構造は前記支柱と横桟の連結角度の変更を許容する構造とし、各横桟には上向き係止片と下向き係止片を有し、前記パネルは上下横桟間隔に対応する複数の分割パネルからなり、該分割パネルの背面側上下縁に上向き保持溝と下向き保持溝を有し、前記分割パネルの両端部を両支柱の前面に重合した状態で、該分割パネルの下向き保持溝に下側横桟の上向き係止片を係入するとともに、上向き保持溝に上側横桟の下向き係止片を係入し、前記支柱の傾斜時に各分割パネルが横桟に対して横方向へスライド変位可能としたことを特徴とする段積み型高耐震性パネル。
【請求項３】
前記横桟は、表裏両側の上下縁にそれぞれ前記上向き係止片と下向き係止片を設け、前記支柱間の表裏両側に前記分割パネルを保持してなる請求項２記載の段積み型高耐震性パネル。
【請求項４】
前記ヒンジ連結構造は、前記支柱の側面にネジ止めする垂直板と前記横桟の端部を接合してネジ止めする水平板とからなるアングル状連結金具を用いた連結構造である請求項２又は３記載の段積み型高耐震性パネル。
【請求項５】
前記分割パネルに、横方向への無制限な変位を規制する移動規制手段を設けてなる請求項２〜４何れか1項に記載の段積み型高耐震性パネル。
【請求項６】
前記移動規制手段が、前記分割パネルの背面両側の上部に形成した係合孔を、前記支柱の前面の係止孔に嵌合係止した係止具の上向きフック片に係止するものである請求項５記載の段積み型高耐震性パネル。
【発明の詳細な説明】
【技術分野】
【０００１】
本発明は、段積み型高耐震性パネルに係わり、更に詳しくは大きな層間変位にも追従しパネルの脱落や破損の恐れが無い段積み型高耐震性パネルに関するものである。
【背景技術】
【０００２】
通常、オフィスビル等は、複数のスラブで各階が形成され、上スラブの下面側には吊り天井構造体が構築され、下スラブの上面側にはフロア構造体が構築され、構造壁で囲まれた空間を間仕切装置で適宜に区画されている。通常、吊り天井構造体は、上スラブから垂下した吊支部材（吊りボルト）によって、縦横に張り巡らした天井支持レールを吊下げ状に保持し、該天井支持レールに天井パネルの周囲を係止する構造である。このような吊り天井構造体を有する室内に天井パネルからフロア構造体にわたって、間仕切パネルやドアパネルを組み合わせた間仕切装置を設置する。ここで、間仕切パネルは、天井パネルの下面側で天井支持レールを利用して固定した天レールと、フロア構造体の上面に敷設した地レールとの間に、複数の支柱を立設するとともに、隣接する支柱間に係止具を用いてパネルを係止して構成する。従来、吊り天井構造体に対する耐震基準はなかったが、東日本大震災によって多くの吊り天井構造体が落下し、破損したことを受けて、天井の耐震性を高める機運が高まり、新耐震基準では、層間変位角が１／６０〜１／４０、震度７、天井面加速度が２．２Ｇに耐えることが要求されている。それに応じて間仕切パネルにも同様の高耐震性が要求されるようになった。従来の間仕切パネルの構造では、地震時の層間変位に伴って支柱がロッキングした際に、パネルの一側が支柱に対して競り上がり、大きく変位するとパネルが係止具から外れることになる。
【０００３】
一方、従来から間隔を置いて立設した支柱の表面間に複数の分割パネルを上下方向に装着した構造の間仕切パネルは各種提供されている。例えば、特許文献１には、分割パネルを、パネル本体上端の前縁に第１係止縁を上方へ突設するとともに、後縁に該第１係止縁よりも上方へ延びた固定片を突設し、前記パネル本体上端と第１係止縁及び固定片とで上方へ開口した凹溝を形成し、パネル本体下端の後縁部に前記凹溝内に係合する脚片を下方へ突設して構成し、両支柱の前面側に分割パネルを沿わせて、下段の分割パネルの凹溝内に上段の分割パネルの脚片下端部を上方から嵌合して保持するとともに、前記固定片を前方から前記支柱にネジ止めし、分割パネルを上下方向へ順次取付ける構造の間仕切パネルが記載されている。
【０００４】
また、特許文献２には、所定間隔で立設した隣接する両支柱の表裏一側面側にわたって、複数のガラスパネルを上下に積層して装着してなる間仕切パネルにおけるガラスパネルの取付装置であって、四角形のガラス板の周囲を枠体で取り囲んでガラスパネル（分割パネル）とし、前記枠体の下枠の背面側には第１係止部を設け、前記枠体の上枠の背面側には前記両支柱の間に介装する横桟を予め取付けておき、前記横桟の両端には前記支柱又は中間支柱の側面に連結する取付板を有するとともに、前記横桟の前部に第２係止部を設け、隣接する両支柱に取付けた下段側のガラスパネルを支持する前記横桟の第２係止部に上段側のガラスパネルの第１係止部を係止するとともに、該ガラスパネルの上部に取付けた横桟の両端の取付板を前記支柱の側面にネジ止めすることを特徴とするガラスパネルの取付装置が記載されている。
【０００５】
しかし、特許文献１は、分割パネルの上部固定片を支柱の前面にネジ止めしたパネル構造であるので、地震時に層間変位が生じた場合、支柱が傾斜することにより分割パネルの固定片との間で相対的回転が生じ、その結果、ネジが弛んだり、頭飛びが発生して、分割パネルが脱落することも想定される。また、両支柱が平行に傾斜すると、上下の分割パネル同士が押し合い、ネジによる固定部に過大な応力が集中し、最悪の場合には固定部が損傷して分割パネルが脱落することになる。また、特許文献２は、ガラスパネルの上部に横桟を固定した状態で支柱間に取付けるので、原理的に間仕切パネルの片面にしか施工できない。また、横桟にガラスパネルを固定している構造であるので、地震時に層間変位が生じた場合、両支柱が平行に傾斜すると、上下のガラスパネル同士が押し合い、ガラス板に過大な圧縮応力や衝撃力が作用して割れる恐れがある。
【０００６】
また、間仕切パネルに関するものではないが、特許文献３には、一枚のパネル体（金属板）の片面若しくは両面に、両端部を余して緩衝作用のある接着層を介して複数の面外座屈補剛材を上下方向に間隔を置いて接着したダンパー装置が記載され、該ダンパー装置のパネル体両端部を小規模建物等の隣接する両支柱にビスやクギ等の固定具で固定し、振動抑制効果を有する構造物が記載されている。尚、前記面外座屈補剛材は、金属製矩形状板材で構成されている。つまり、支柱間に相対移動が生じた際に、パネル体が面内にせん断変形することで、当該せん断変形に応じて減衰力が発揮され、接着層が弾性変形することでパネル体のせん断変形に面外座屈補剛材が追従し、この面外座屈補剛材でパネル体の面外への変形が規制されるのである。
【先行技術文献】
【特許文献】
【０００７】
【特許文献１】特開２００９−１０２８５０号公報
【特許文献２】特開２０１４−０４３７１６号公報
【特許文献３】特開２００８−０７５７９７号公報
【発明の概要】
【発明が解決しようとする課題】
【０００８】
そこで、本発明が前述の状況に鑑み、解決しようとするところは、新耐震基準の層間変位角１／４０、震度７、天井面加速度が２．２Ｇに耐え、特に大きな層間変位にも追従し、パネルの脱落や破損の恐れがなく、ガラスパネルにも適用可能な段積み型高耐震性パネルを提供する点にある。
【課題を解決するための手段】
【０００９】
本発明は、前述の課題解決のために、天井と床面間に所定間隔を隔てて立設した支柱にパネルを取付け、地震時の層間変位に追従して前記支柱が傾斜してロッキング状態になっても前記パネルを安定に保持し得る高耐震性パネルにおいて、前記支柱間に複数の横桟を上下方向へ所定間隔を隔ててヒンジ連結構造にて横設し、該ヒンジ連結構造は前記支柱と横桟の連結角度の変更を許容する構造とし、前記パネルは上下横桟間隔に対応する複数の分割パネルからなり、前記分割パネルの上下縁部をそれぞれ横桟で横方向へスライド変位可能に支持したことを特徴とする段積み型高耐震性パネルを構成した（請求項１）。
【００１０】
また本発明は、前述の課題解決のために、天井と床面間に所定間隔を隔てて立設した支柱にパネルを取付け、地震時の層間変位に追従して前記支柱が傾斜してロッキング状態になっても前記パネルを安定に保持し得る高耐震性パネルにおいて、前記支柱間に複数の横桟を上下方向へ所定間隔を隔ててヒンジ連結構造にて横設し、該ヒンジ連結構造は前記支柱と横桟の連結角度の変更を許容する構造とし、各横桟には上向き係止片と下向き係止片を有し、前記パネルは上下横桟間隔に対応する複数の分割パネルからなり、該分割パネルの背面側上下縁に上向き保持溝と下向き保持溝を有し、前記分割パネルの両端部を両支柱の前面に重合した状態で、該分割パネルの下向き保持溝に下側横桟の上向き係止片を係入するとともに、上向き保持溝に上側横桟の下向き係止片を係入し、前記支柱の傾斜時に各分割パネルが横桟に対して横方向へスライド変位可能としたことを特徴とする段積み型高耐震性パネルを構成した（請求項２）。
【００１１】
ここで、前記横桟は、表裏両側の上下縁にそれぞれ前記上向き係止片と下向き係止片を設け、前記支柱間の表裏両側に前記分割パネルを保持してなることが好ましい（請求項３）。
【００１２】
また、前記ヒンジ連結構造は、前記支柱の側面にネジ止めする垂直板と前記横桟の端部を接合してネジ止めする水平板とからなるアングル状連結金具を用いた連結構造である（請求項４）。
【００１３】
そして、前記分割パネルに、横方向への無制限な変位を規制する移動規制手段を設けてなることがより好ましい（請求項５）。
【００１４】
具体的には、前記移動規制手段が、前記分割パネルの背面両側の上部に形成した係合孔を、前記支柱の前面の係止孔に嵌合係止した係止具の上向きフック片に係止するものである（請求項６）。
【発明の効果】
【００１５】
以上にしてなる請求項１に係る発明の段積み型高耐震性パネルは、天井と床面間に所定間隔を隔てて立設した支柱にパネルを取付け、地震時の層間変位に追従して前記支柱が傾斜してロッキング状態になっても前記パネルを安定に保持し得る高耐震性パネルにおいて、前記支柱間に複数の横桟を上下方向へ所定間隔を隔ててヒンジ連結構造にて横設し、該ヒンジ連結構造は前記支柱と横桟の連結角度の変更を許容する構造とし、前記パネルは上下横桟間隔に対応する複数の分割パネルからなり、前記分割パネルの上下縁部をそれぞれ横桟で横方向へスライド変位可能に支持したので、地震時の層間変位に追従して前記支柱が傾斜してロッキング状態になっても、分割パネルは上下の横桟によって横方向へスライド変位可能に保持されているので、各段の分割パネルが段々に横方向にずれて支柱の変位に追従するので、各分割パネル自体に大きな応力が作用せず、それにより分割パネル自体の変形もなく、上下の横桟で安定に保持することができ、また地震が終わった時には支柱の復帰に伴って分割パネルも元の状態に復帰する。
【００１６】
以上にしてなる請求項２に係る発明の段積み型高耐震性パネルは、天井と床面間に所定間隔を隔てて立設した支柱にパネルを取付け、地震時の層間変位に追従して前記支柱が傾斜してロッキング状態になっても前記パネルを安定に保持し得る高耐震性パネルにおいて、前記支柱間に複数の横桟を上下方向へ所定間隔を隔ててヒンジ連結構造にて横設し、該ヒンジ連結構造は前記支柱と横桟の連結角度の変更を許容する構造とし、各横桟には上向き係止片と下向き係止片を有し、前記パネルは上下横桟間隔に対応する複数の分割パネルからなり、該分割パネルの背面側上下縁に上向き保持溝と下向き保持溝を有し、前記分割パネルの両端部を両支柱の前面に重合した状態で、該分割パネルの下向き保持溝に下側横桟の上向き係止片を係入するとともに、上向き保持溝に上側横桟の下向き係止片を係入し、前記支柱の傾斜時に各分割パネルが横桟に対して横方向へスライド変位可能としたので、地震時の層間変位に追従して前記支柱が傾斜してロッキング状態になっても、分割パネルは上下の横桟によって横方向へスライド変位可能に保持されているので、各段の分割パネルが段々に横方向にずれて支柱の変位に追従するので、各分割パネル自体に大きな応力が作用せず、それにより分割パネル自体の変形もなく、上下の横桟で安定に保持することができ、また地震が終わった時には支柱の復帰に伴って分割パネルも元の状態に復帰する。つまり、大きな地震時にも分割パネルの脱落や破損の恐れがないのである。また、分割パネルをガラス板の周囲を枠体で保持したガラスパネルとしても、同様にガラス板が破損することがなく、安定に保持することができる。
【００１７】
請求項３によれば、前記横桟は、表裏両側の上下縁にそれぞれ前記上向き係止片と下向き係止片を設け、前記支柱間の表裏両側に前記分割パネルを保持してなるので、支柱を介して表裏両側にパネルを供えた構造の高耐震性パネルを提供できる。
【００１８】
請求項４によれば、前記ヒンジ連結構造は、前記支柱の側面にネジ止めする垂直板と前記横桟の端部を接合してネジ止めする水平板とからなるアングル状連結金具を用いた連結構造であるので、単純な形状のアングル状連結金具を用いて支柱間に横桟を簡単に横設することができ、支柱の傾斜に伴って該支柱と横桟との連結角度を自律的に変えることができる。
【００１９】
請求項５によれば、前記分割パネルに、横方向への無制限な変位を規制する移動規制手段を設けてなるので、各分割パネルは支柱の傾斜角に応じて横桟に対して横方向へスライド変位し、支柱が元の立起状態に復帰すれば分割パネルも元の状態に自律的に復帰する。
【００２０】
請求項６によれば、前記移動規制手段が、前記分割パネルの背面両側の上部に形成した係合孔を、前記支柱の前面の係止孔に嵌合係止した係止具の上向きフック片に係止するものであるので、従来の係止具による係止構造をそのまま用いることができ、コスト上昇を抑制し、また分割パネルを所定位置に安定に保持することができる。
【図面の簡単な説明】
【００２１】
【図１】本発明の第１実施形態の段積み型高耐震性パネルの部分正面図である。
【図２】同じくロッキング状態の段積み型高耐震性パネルの部分正面図である。
【図３】同じく段積み型高耐震性パネルの下部構造を示す部分縦断側面図である。
【図４】同じく段積み型高耐震性パネルの上部構造を示す部分縦断側面図である。
【図５】図４のＸ−Ｘ線拡大横断平面図である。
【図６】施工手順を示す分解縦断側面図である。
【図７】要部の部分分解斜視図である。
【図８】本発明の第２実施形態の段積み型高耐震性パネルの部分正面図である。
【図９】同じくロッキング状態の段積み型高耐震性パネルの部分正面図である。
【図１０】同じく段積み型高耐震性パネルの一部省略縦断側面図である。
【図１１】同じく段積み型高耐震性パネルの中間構造を示す部分縦断側面図である。
【図１２】同じく段積み型高耐震性パネルの下部構造を示す部分縦断側面図である。
【図１３】同じく段積み型高耐震性パネルの上部構造を示す部分縦断側面図である。
【図１４】図８のＹ−Ｙ線拡大横断平面図である。
【図１５】施工手順を示す分解縦断側面図である。
【発明を実施するための形態】
【００２２】
次に、添付図面に示した実施形態に基づき、本発明を更に詳細に説明する。図１及び図２は本発明に係る段積み型高耐震性パネルの第１実施形態を示し、図３〜図7はその詳細を示し、図８〜図１５は第２実施形態を示し、図中符号１は天井、２は床面、３は天レール、４は地レール、５は支柱、６は横桟、７は分割パネル、８は係止具をそれぞれ示している。
【００２３】
第１実施形態の段積み型高耐震性パネルは、天井１と床面２にそれぞれ天レール３と地レール４を取付け、該天レール３と地レール４間に所定間隔を隔てて立設した支柱５，…にパネルを取付け、地震時の層間変位に追従して前記支柱５が傾斜してロッキング状態になっても前記パネルを安定に保持し得るものである。具体的には、段積み型高耐震性パネルは、前記支柱５，５間に複数の横桟６，…を上下方向へ所定間隔を隔ててヒンジ連結構造９にて横設し、該ヒンジ連結構造９は前記支柱５と横桟６の連結角度の変更を許容する構造とし、各横桟６には上向き係止片１０と下向き係止片１１を有し、前記パネルは上下横桟間隔に対応する複数の分割パネル７，…からなり、該分割パネル７の背面側上下縁に上向き保持溝１２と下向き保持溝１３を有し、前記分割パネル７の両端部を両支柱５，５の前面に重合した状態で、該分割パネル７の下向き保持溝１３に下側横桟６の上向き係止片１０を係入するとともに、上向き保持溝１２に上側横桟６の下向き係止片１１を係入し、前記支柱５の傾斜時に各分割パネル７が横桟６に対して横方向へスライド変位可能としたものである。
【００２４】
一般的にオフィスビルは、構造柱や構造壁で支持されたスラブで階に区画され、スラブの下面側に吊り天井構造体を構築し、スラブの上面側に配線空間を備えたフロア構造体を構築している。本実施形態では、前記天井１は吊り天井構造体、前記床面２はフロア構造体に対応する。そして、前記吊り天井構造体（天井１）の下面に取付けた天レール３と前記フロア構造体（床面２）の上面に取付けた地レール４との間に、上端部は前記天レール３、下端部は前記地レール４の変位に追従可能となるように、複数の支柱５，…を所定間隔毎に立設している。
【００２５】
図２に示すように、地震により建物の上スラブと下スラブに層間変位が生じると、前記支柱５，…は左右に傾斜する。層間変位角αを最大の１／４０とすれば、階高さが４２００ｍｍの場合、層間変位は１０５ｍｍとなり、スラブに追従して運動する耐震性の吊り天井構造体の変位も１０５ｍｍとなる。つまり、標準的な天井高さ２８００ｍｍの天井が床面に対して片側１０５ｍｍ変位することを意味している。この層間変位角は非常に大きく、仮に横幅が９００ｍｍの一枚物のパネルを支柱５，５に係止した場合、パネルの一側は支柱５に対して約２３ｍｍだけ上昇する。
【００２６】
前記横桟６は、図６及び図７に示すように、断面横長四角形状の杆体１４の表裏両側の上下縁にそれぞれ前記上向き係止片１０，１０と下向き係止片１１，１１を延設したものである。尚、前記横桟６は、本実施形態では杆体１４を中空形状としたが、杆体１４を中実板状とし、つまりＨ型材で構成しても良い。
【００２７】
前記支柱５は、図７に示すように、一側面側が開放した断面略Ｃ字形の角型杆体であり、表裏両面には上下方向へ所定間隔毎に複数の係止孔１５，…が二列形成されている。そして、前記支柱５の側面に前記横桟６を水平に連結するための前記ヒンジ連結構造９は、図７に示すように、前記支柱５の側面にネジ止めする垂直板１６と前記横桟６の端部を接合してネジ止めする水平板１７とからなるアングル状連結金具９を用いた連結構造である。
【００２８】
前記連結金具９は、金属板を直角に折曲して作製し、前記支柱５の側面板１８に垂直板１６をネジ１９で取付ける。前記支柱５の凹溝２０側からは、水平板１７の長さが長い連結金具９を用い、その垂直板１６を凹溝２０内で前記側面板１８に裏側に接合した状態で前記ネジ１９を用いて取付ける。具体的には、前記連結金具９の垂直板１６に形成した通孔２１，２１に挿通したネジ１９，１９を支柱５の側面板１８の所定高さ位置に穿設した取付孔（図示せず）に貫通し、ナット２２に螺合して締結する。このように、前記支柱５の所定高さに取付けた連結金具９の水平板１７の上に前記横桟６の杆体１４の端部を載置し、上方からネジ２３を用いて水平板１７に螺着する。具体的には、前記横桟６の杆体１４の上板にネジ２３の頭部が通過する開口２４を形成し、その直下の下板に通孔２５を形成し、前記ネジ２３を開口２４から通孔２５に挿通し、前記連結金具９の水平板１７に形成した螺孔２６に螺合する。このように、隣接する支柱５，５間に連結金具９を用いて横桟６を横設する。ここで、前記支柱５が傾斜すると、前記連結金具９の屈曲部が変形して支柱５と横桟６の角度が変化する。両側の支柱５，５が平行に傾斜すると、上下の横桟６，６も平行状態を維持したまま変位する。
【００２９】
前記分割パネル７は、図３〜図６に示すように、表面板２７の上下縁の背面に上補強部材２８と下補強部材２９を固着し、前記上補強部材２８の上方へ向いた内板３０と表面板２７の上縁３１との間に隅間を設けて前記上向き保持溝１２を形成し、前記下補強部材２９の下方へ向いた内板３２と表面板２７の下縁３３との間に隅間を設けて前記下向き保持溝１３を形成している。また、前記表面板２７の両側を内向きに断面Ｌ字状に折曲して形成した裏板３４，３４の上部に係止具８に係止する係合孔３５をそれぞれ形成している。
【００３０】
前記係止具８は、図３〜図６に示すように、前記支柱５の係止孔１５に挿入する係止片３６と、前記分割パネル７の係合孔３５に挿入する上向きフック片３７とを備え、これら係止片３６と上向きフック片３７との間に上向き開口溝と下向き開口溝とを形成して連結部３８を設けた構造である。前記支柱５の係止孔１５に係止具８の係止片３６を係止して装着した状態で、該係止具８の上向きフック片３７に分割パネル７の係合孔３５を係止し、隣接する支柱５，５の表裏両面にそれぞれ分割パネル７，７を係止する。
【００３１】
また、前記天レール３は、下方開放した断面略コ字形の長尺部材であり、両側に下向き側板３９，３９を有している。また、前記地レール４は、上方開放した断面略コ字形の長尺部材であり、両側に上向き側板４０，４０を有している。ここで、前記天レール３の下向き側板３９，３９は、前記横桟６の下向き係止片１１，１１と同様の機能を有し、前記地レール４の上向き側板４０，４０は、前記横桟６の上向き係止片１０，１０と同様の機能を有している。
【００３２】
そして、本実施形態の段積み型高耐震性パネルを施工するには、先ず天レール３と地レール４間に所定間隔で支柱５,…を立設し、中間に位置する支柱５にあっては両側に、端部に位置する支柱５にあっては片側に前記連結金具９,…を所定高さに取付ける。そして、前記係止具８，…を支柱５の所定高さ位置、即ち前記連結金具９のやや下方位置の係止孔１５に係止しておく。それから、前記分割パネル７を下側から順に隣接する支柱５，５の表裏両面間に取付けて行くが、最下段の分割パネル７は、図３に示すように、前記下向き保持溝１３を地レール４の上向き側板４０，４０を係入するとともに、前記係止具８の上向きフック片３７を係合孔３５に係止する。そして、前記支柱５，５間に位置させた前記横桟６の下向き係止片１１，１１を、表裏の分割パネル７，７の上向き保持溝１２，１２に係入するとともに、杆体１４の両端部を両側の連結金具９．９の水平板１７，１７に載置し、それぞれネジ１９で杆体１４を水平板１７に螺着する。
【００３３】
それから、その二段目の分割パネル７は、図６に示すように、前記下向き保持溝１３を支柱５，５間に横設した前記横桟６の上向き係止片１０に係入するとともに、前記係止具８の上向きフック片３７を係合孔３５に係止する。そして、前記支柱５，５間に位置させた前記横桟６の下向き係止片１１，１１を、表裏の分割パネル７，７の上向き保持溝１２，１２に係入するとともに、杆体１４の両端部を両側の連結金具９．９の水平板１７，１７に載置し、それぞれネジ１９で杆体１４を水平板１７に螺着する。
【００３４】
そして、最上段の分割パネル７は、図４に示すように、上向き保持溝１２を前記天レール３の下向き側板３９に係入しながら、前記係止具８の上向きフック片３７を係合孔３５に挿入し、該分割パネル７を下方に落として前記下向き保持溝１３を支柱５，５間に横設した前記横桟６の上向き係止片１０に係入する。このように、支柱５，５の表裏両面にわたって分割パネル７，…を段積み状態で装着する。
【００３５】
ここで、前記係止具８の上向きフック片３７に分割パネル７の係合孔３５を嵌合係止することで、該分割パネル７の横方向への無制限な変位を規制するのである。つまり、
移動規制手段が、前記分割パネル７の背面両側の上部に形成した係合孔３５を、前記支柱５の前面の係止孔１５に嵌合係止した係止具８の上向きフック片３７に係止するものである。最上段の分割パネル７は、係止具８があると取付けることが難しくなるので、その場合には上向きフック片３７が短いタイプの係止具８を使ったり、あるいは係止具８を省略することもある。その場合、係止具８に代わる移動規制手段を設けることが好ましい。
【００３６】
しかし、前記係止具８による移動規制手段の代わりに、他の構造、例えば分割パネル７の下縁又は上縁の背面両側に支柱５の側面に当止する突起を設けてもよい。しかし、前記係止具８を用いて分割パネル７の上部を係止する方が、上側の横桟６を取付けるまで、分割パネル７を仮保持できるのでより好ましい。
【００３７】
地震時に層間変位が発生して、図２に示すように、前記支柱５，…が傾斜すると、上下の横桟６，６あるいは天レール３と最上段の横桟６あるいは地レール４と最下段の横桟６は平行に変位するが、分割パネル７は横桟６、天レール３及び地レール４に対して横方向へスライド変位可能であるので、各分割パネル７には無理な応力が作用しないので、分割パネル７が変形したり、脱落する恐れが全くない。前記支柱５が、層間変位角αが最大の１／４０だけ傾斜しても、上下の横桟６，６の間隔、天レール３と最上段の横桟６の間隔、地レール４と最下段の横桟６の間隔は僅かに狭くなるだけである。そこで、前記分割パネル７の上方へ向いた内板３０の上端と、前記横桟６の杆体１４の下面とに間に、クリアランスが生じるように寸法設定することがより好ましい。
【００３８】
また、前記分割パネル７は、横長四角形のガラス板の周囲を枠体で保持したガラスパネルとし、該枠体の上枠に前記上向き保持溝１２を形成し、枠体の下枠に下向き保持溝１３を形成し、更に枠体の側枠に前記係合孔３５を形成した構造としても良い。この場合も前記同様に、地震時に大きな層間変位が発生してもガラス板が損傷することがない。
【００３９】
次に、図８〜図１５に基づいて第２実施形態の段積み型高耐震性パネルを説明する。本実施形態は、分割パネル７として分割ガラスパネル４１とし、それに応じた構造の横桟４２を用いるとともに、係止具４３で係止するために支持金具４４，４５を支柱５に取付ける。基本構成は、前述の第１実施形態と同じであるので、同一構成には同一符号を付してその説明は省略する。
【００４０】
前記ガラスパネル４１は、横長四角形のガラス板４６の周囲を枠体４７で保持した構造であり、枠体４７は図１１及び図１４に示すように、同一断面形状の縦枠４７Ａと横枠４７Ｂとで形成されている。縦枠４７Ａと横枠４７Ｂは、垂直なガラス支持板４８と、該ガラス支持板４８の一側に直角に、即ちパネル厚さ方向に形成した補強板４９とからなる断面略Ｌ字形のアルミ押出し型材で作製している。更に詳しくは、前記縦枠４７Ａと横枠４７Ｂは、前記ガラス支持板４８の端縁に外向きに断面Ｌ字形の保持片５０を直角に形成し、また前記ガラス支持板４８に対してパネル厚さ方向内方へ向いた前記補強板４９から前記ガラス支持板４８と平行に係止片５１を延設している。そして、前記縦枠４７Ａと横枠４７Ｂの端部を４５度に切断し、各ガラス支持板４８を前記ガラス板４６の縁部裏面に沿わせるとともに、前記保持片５０の内側を前記ガラス板４６の端面に両面粘着テープを介在させて接着し、接合した縦枠４７Ａと横枠４７Ｂの端部同士を適宜な連結金具で連結一体化したものである。更に、前記縦枠４７Ａの係止片５１の上部には、前記同様に係止具４３を係止するための係合孔５２を形成している。
【００４１】
ここで、前記横枠４７Ｂのガラス支持板４８と係止片５１とで、上側の横枠４７Ｂにあっては上向き保持溝５３を、下側の横枠４７Ｂにあっては下向き保持溝５４を形成している。このガラスパネル４１は表裏両側から支柱５，５間に横設した横桟４２，４２間、あるいは地レール４と最下段の横桟４２間、あるいは天レール３と最上段の横桟４２間に取付けた際に、表裏のガラスパネル４１，４１の枠体４７の補強板４９，４９同士が突合せ接合するようになっている。
【００４２】
前記横桟４２は、図１１及び図１５に示すように、断面略Ｈ字形を有する上下対称形のアルミ押出し型材であり、上下中央の連結板５５の両側に側面板５６，５６を設けたものであり、該側面板５６の上縁が上向き係止片５７となり、下縁が下向き係止片５８となる。また、前記側面板５６の外側で前記連結板５５から延長位置に断面倒Ｔ字形のスペーサー部５９を渡設している。尚、前記横桟４２の両側面板５６，５６の上下縁には、内側へ向けて張り出して前記上向き保持溝５３あるいは下向き保持溝５４に密嵌するとともに、前記横枠４７Ｂの係止片５１の先端を当止する突出部６０を形成している。また、前記横桟４２の端部の連結板５５には、前記連結金具９の水平板１７に載置したネジ２３で固定するための通孔６１を形成している。
【００４３】
前記係止具４３で係止するために支持金具４４，４５は、平面視コ字形の金具であり、前記支柱１の側面板１８にネジ止めするための固定板６２の両側に取付板６３，６３を直角に折曲形成した形状であり、前記支柱５の側面板１８の外側面に取付ける支持金具４４は、前記取付板６３の横幅が狭く、前記支柱５の凹溝２０内で側面板１８の内側面に取付ける支持金具４５は、前記取付板６３の横幅が広くなっており、それぞれ支柱５の同一高さ位置に共通のネジ６４で取付けた状態では、支柱５の左右に突出する支持金具４４，４５の取付板６３，６３の横幅が一致する。そして、前記取付板６３には前記係止具４３を係止するための係止孔６５を形成している。この係止孔６５は、前記支柱５に形成した係止孔１５と同じ形状である。本実施形態の場合、前記係止具４３は、図１５に示すように、係止片３６と上向きフック片３７の上下寸法が短い通常のものを用いた。前記支持金具４４，４５を支柱５への取付板は、前記連結金具９のやや下方位置である。
【００４４】
そして、本実施形態の段積み型高耐震性パネルを施工するには、前記同様に、先ず天レール３と地レール４間に所定間隔で支柱５,…を立設し、中間に位置する支柱５にあっては両側に、端部に位置する支柱５にあっては片側に前記連結金具９,…と前記支持金具４４，４５を所定高さに取付ける。そして、前記係止具４３，…を前記支持金具４４，４５の取付板６３，６３に形成した係止孔６５，６５に係止しておく。上下中間のガラスパネル４１は、図１１及び図１５に示すように、前記下向き保持溝５４を支柱５，５間に横設した下方の前記横桟４２の上向き係止片５７に係入するとともに、前記係止具４３の上向きフック片３７を係合孔５２に係止する。そして、前記支柱５，５間に位置させた前記横桟４２の下向き係止片５８，５８を、既に取付けた下段側のガラスパネル４１の上向き保持溝５３，５３に係入するとともに、該横桟４２の連結板５５の両端部を両側の連結金具９．９の水平板１７，１７に載置し、それぞれネジ１９で連結板５５を水平板１７に螺着する。このように、前記ガラスパネル４１を下側から順に隣接する支柱５，５の表裏両面間に取付けて行くのである。また、上下のガラスパネル４１、４１の間には前記横桟４２のスペーサー部５９が位置し、上段のガラスパネル４１の保持片５０を載支している。
【００４５】
尚、最下段のガラスパネル４１は、図１２に示すように、表裏のガラスパネル４１，４１の下側横枠４７Ｂのガラス支持板４８で形成される凹溝内に前記地レール４を受け入れる。最上段のガラスパネル４１は、図１３に示すように、表裏のガラスパネル４１，４１の上側横枠４７Ｂのガラス支持板４８で形成される凹溝内に前記天レール３を受け入れる。また、前記天レール３と地レール４に強固に支持するために、前記横桟４２の両側面板５６，５６の一端部と同様の構造を持つ別部材を介在させて取付けることも好ましい。
【符号の説明】
【００４６】
１  天井、                      ２  床面、
３  天レール、                  ４  地レール、
５  支柱、                      ６  横桟、
７  分割パネル、                ８  係止具（移動規制手段）、
９  連結金具（ヒンジ連結構造）、１０  上向き係止片、
１１  下向き係止片、            １２  上向き保持溝、
１３  下向き保持溝、            １４  杆体、
１５  係止孔、                  １６  垂直板、
１７  水平板、                  １８  側面板、
１９  ネジ、                    ２０  凹溝、
２１  通孔、                    ２２  ナット、
２３  ネジ、                    ２４  開口、
２５  通孔、                    ２６  螺孔、
２７  表面板、                  ２８  上補強部材、
２９  下補強部材、              ３０  内板、
３１  上縁、                    ３２  内板、
３３  下縁、                    ３４  裏板、
３５  係合孔、                  ３６  係止片、
３７  上向きフック片            ３８  連結部、
３９  側板、                    ４０  側板、
４１  ガラスパネル、            ４２  横桟、
４３  係止具（移動規制手段）、  ４４  支持金具、
４５  支持金具、                ４６  ガラス板、
４７  枠体、                    ４７Ａ  縦枠、
４７Ｂ  横枠、                  ４８  ガラス支持板、
４９  補強板、                  ５０  保持片、
５１  係止片、                  ５２  係合孔、
５３  上向き保持溝、            ５４  下向き保持溝、
５５  連結板、                  ５６  側面板、
５７  上向き係止片、            ５８  下向き係止片、
５９  スペーサー部、            ６０  突出部、
６１  通孔、                    ６２  固定板、
６３  取付板、                  ６４  ネジ、
６５  係止孔。
α  層間変位角。
【図１】
0006411095.tif 000002
【図２】
0006411095.tif 000003
【図３】
0006411095.tif 000004
【図４】
0006411095.tif 000005
【図５】
0006411095.tif 000006
【図６】
0006411095.tif 000007
【図７】
0006411095.tif 000008
【図８】
0006411095.tif 000009
【図９】
0006411095.tif 000010
【図１０】
0006411095.tif 000011
【図１１】
0006411095.tif 000012
【図１２】
0006411095.tif 000013
【図１３】
0006411095.tif 000014
【図１４】
0006411095.tif 000015
【図１５】
0006411095.tif 000016